(57)【要約】【課題】接続部材の組付け作業性を向上させること。【解決手段】導電性のバスバ３０，４０と、複数の電気配線ブロック１０，２０と、接合対象となる２つの電気配線ブロック１０，２０に収容されたそれぞれのバスバ３０，４０の電気接続部３５，４５を挟み込んで電気的に接続させる接続部材５０と、を備え、２つのバスバ３０，４０の内の少なくとも一方には、それぞれの電気接続部３５，４５を接続部材５０の差し込み口５２からの一括挿入が可能な位置関係に位置決めする位置決め構造６０を設け、位置決め構造６０は、２つの電気配線ブロック１０，２０が組み付けられた際にそれぞれの電気接続部３５，４５を前記位置関係に位置決めさせるものとして構成すること。【選択図】図２
2020068581.tif 000002
【特許請求の範囲】
【請求項１】
導電性のバスバと、
電子部品と前記バスバを内方で電気的に接続させる複数の電気配線ブロックと、
相互間での接合対象となる２つの前記電気配線ブロックに収容されたそれぞれの前記バスバを電気的に接続させる接続部材と、
を備え、
前記接続部材を用いて電気的に接続される２つの前記バスバは、接合対象となる２つの前記電気配線ブロックを組み付けることによって互いに隣り合い、かつ、前記接続部材によって接触状態で挟み込まれる電気接続部を各々有し、
前記接続部材は、それぞれの前記電気接続部が一方の壁面同士を互いに重ね合わせて収容される収容空間と、それぞれの前記電気接続部を前記収容空間に一括挿入可能な差し込み口と、互いに対向配置させ、前記収容空間に収容されたそれぞれの前記電気接続部を他方の壁面に押圧力を作用させながら挟み込む２つの押圧壁体と、前記差し込み口とは逆側でそれぞれの前記押圧壁体を連結させる連結壁体と、を有し、
前記接続部材を用いて電気的に接続される２つの前記バスバの内の少なくとも一方には、それぞれの前記電気接続部を前記差し込み口からの一括挿入が可能な位置関係に位置決めする位置決め構造を設け、
前記位置決め構造は、接合対象となる２つの前記電気配線ブロックが組み付けられた際にそれぞれの前記電気接続部を前記位置関係に位置決めさせるものとして構成することを特徴とした電気配線ブロック接合体。
【請求項２】
前記位置決め構造は、自身が設けられている一方の前記バスバの前記電気接続部における前記一方の壁面と、その一方の壁面に間隔を空けて対向配置され、この一方の壁面との間に他方の前記バスバの前記電気接続部を挿入させる位置決め部と、で構成することを特徴とした請求項１に記載の電気配線ブロック接合体。
【請求項３】
前記位置決め部は、可撓性を有し、かつ、他方の前記バスバの前記電気接続部における前記他方の壁面に押圧力を作用させる押圧部として形成することを特徴とした請求項２に記載の電気配線ブロック接合体。
【請求項４】
前記位置決め部は、可撓性を有し、かつ、他方の前記バスバの前記電気接続部における前記他方の壁面に押圧力を作用させる片持ちの押圧部として形成し、
前記位置決め構造は、前記位置決め部の固定端側と自由端側とを結ぶ仮想直線が、接合対象となる２つの前記電気配線ブロックの組付け方向に対する直交方向を向き、かつ、前記組付け方向側の開口が、他方の前記バスバにおける前記電気接続部の挿入口になるものとして形成することを特徴とした請求項２に記載の電気配線ブロック接合体。
【請求項５】
前記位置決め部は、可撓性を有し、かつ、他方の前記バスバの前記電気接続部における前記他方の壁面に押圧力を作用させる片持ちの押圧部として形成し、
前記位置決め構造は、前記位置決め部の固定端側と自由端側とを結ぶ仮想直線が、接合対象となる２つの前記電気配線ブロックの組付け方向を向き、かつ、前記組付け方向における自由端側の開口が、他方の前記バスバにおける前記電気接続部の挿入口になるものとして形成することを特徴とした請求項２に記載の電気配線ブロック接合体。
【請求項６】
電子部品と、
導電性のバスバと、
前記電子部品と前記バスバを内方で電気的に接続させる複数の電気配線ブロックと、
相互間での接合対象となる２つの前記電気配線ブロックに収容されたそれぞれの前記バスバを電気的に接続させる接続部材と、
複数の前記電気配線ブロックを収容する筐体と、
を備え、
前記接続部材を用いて電気的に接続される２つの前記バスバは、接合対象となる２つの前記電気配線ブロックを組み付けることによって互いに隣り合い、かつ、前記接続部材によって接触状態で挟み込まれる電気接続部を各々有し、
前記接続部材は、それぞれの前記電気接続部が一方の壁面同士を互いに重ね合わせて収容される収容空間と、それぞれの前記電気接続部を前記収容空間に一括挿入可能な差し込み口と、互いに対向配置させ、前記収容空間に収容されたそれぞれの前記電気接続部を他方の壁面に押圧力を作用させながら挟み込む２つの押圧壁体と、前記差し込み口とは逆側でそれぞれの前記押圧壁体を連結させる連結壁体と、を有し、
前記接続部材を用いて電気的に接続される２つの前記バスバの内の少なくとも一方には、それぞれの前記電気接続部を前記差し込み口からの一括挿入が可能な位置関係に位置決めする位置決め構造を設け、
前記位置決め構造は、接合対象となる２つの前記電気配線ブロックが組み付けられた際にそれぞれの前記電気接続部を前記位置関係に位置決めさせるものとして構成することを特徴とした電気接続箱。
【請求項７】
電子部品と、
導電性のバスバと、
電線と、
前記電子部品と前記バスバと前記電線を内方で電気的に接続させる複数の電気配線ブロックと、
相互間での接合対象となる２つの前記電気配線ブロックに収容されたそれぞれの前記バスバを電気的に接続させる接続部材と、
複数の前記電気配線ブロックを収容し且つ前記電線を外方に引き出す筐体と、
を備え、
前記接続部材を用いて電気的に接続される２つの前記バスバは、接合対象となる２つの前記電気配線ブロックを組み付けることによって互いに隣り合い、かつ、前記接続部材によって接触状態で挟み込まれる電気接続部を各々有し、
前記接続部材は、それぞれの前記電気接続部が一方の壁面同士を互いに重ね合わせて収容される収容空間と、それぞれの前記電気接続部を前記収容空間に一括挿入可能な差し込み口と、互いに対向配置させ、前記収容空間に収容されたそれぞれの前記電気接続部を他方の壁面に押圧力を作用させながら挟み込む２つの押圧壁体と、前記差し込み口とは逆側でそれぞれの前記押圧壁体を連結させる連結壁体と、を有し、
前記接続部材を用いて電気的に接続される２つの前記バスバの内の少なくとも一方には、それぞれの前記電気接続部を前記差し込み口からの一括挿入が可能な位置関係に位置決めする位置決め構造を設け、
前記位置決め構造は、接合対象となる２つの前記電気配線ブロックが組み付けられた際にそれぞれの前記電気接続部を前記位置関係に位置決めさせるものとして構成することを特徴としたワイヤハーネス。
【発明の詳細な説明】
【技術分野】
【０００１】
本発明は、電気配線ブロック接合体、電気接続箱及びワイヤハーネスに関する。
【背景技術】
【０００２】
従来、筐体と、この筐体に収容される電子部品と、を備えた電気接続箱が知られている（下記の特許文献１から５）。例えば、電気接続箱においては、電子部品が収容された電気配線ブロックを筐体に収容することによって、この筐体に電子部品が収容される。この電気接続箱においては、複数の電気配線ブロックを１つの筐体に収容することがあり、それぞれの電気配線ブロック同士を接合することによって、繋がり合う電気配線ブロックの電子部品同士を電気的に接続させる。例えば、それぞれの電気配線ブロックには、自らが収容する電子部品に対して電気的に接続された板状のバスバを設ける。この場合には、互いに繋がり合う電気配線ブロックのバスバ同士を接続部材で繋ぐことによって、それぞれの電気配線ブロックの電子部品同士を電気的に接続させる。その接続部材としては、例えば、差し込み挿入されたバスバを挟み込むクリップの如き形態のものが考えられる。例えば、下記の特許文献６には、接続対象のバスバ毎に設けた板バネ状のクリップを有する中継用バスバが開示されている。その中継用バスバは、それぞれのクリップに接続対象のバスバを差し込むことによって、接続対象のバスバ同士を電気的に接続させる。
【先行技術文献】
【特許文献】
【０００３】
【特許文献１】特開２００４−２０１４４８号公報
【特許文献２】特開平９−３０８０４７号公報
【特許文献３】特開２００７−１２９７９０号公報
【特許文献４】特開２００４−１６６３２２号公報
【特許文献５】特開２００２−３１５１５６号公報
【特許文献６】特開２０１１−１７２３９３号公報
【発明の概要】
【発明が解決しようとする課題】
【０００４】
ところで、複数の電気配線ブロックが接合された接合体（電気配線ブロック接合体）においては、接合対象となる２つの電気配線ブロックを組み付けた際に、それぞれの電気配線ブロックに収容されているバスバの電気接続部同士を隣接させる。そして、この電気配線ブロック接合体においては、隣接状態のそれぞれの電気接続部をクリップ状の接続部材に一括挿入させることによって、その接続部材でそれぞれの電気接続部を挟み込んで電気的に接続させることも考えられる。しかしながら、それぞれの電気接続部は、バスバ自体の寸法公差、電気配線ブロックの寸法公差、電気配線ブロックとバスバとの間の組付け公差、接合対象となる２つの電気配線ブロックの間での組付け公差などによって、その２つの電気配線ブロックを組み付けた際に、必ずしも接続部材への一括挿入が可能な位置関係に配置されるとは限らない。よって、この電気配線ブロック接合体においては、接続部材の組付け作業性という観点で改善の余地がある。
【０００５】
そこで、本発明は、接続部材の組付け作業性を向上させることが可能な電気配線ブロック接合体、電気接続箱及びワイヤハーネスを提供することを、その目的とする。
【課題を解決するための手段】
【０００６】
上記目的を達成する為、本発明に係る電気配線ブロック接合体は、導電性のバスバと、電子部品と前記バスバを内方で電気的に接続させる複数の電気配線ブロックと、相互間での接合対象となる２つの前記電気配線ブロックに収容されたそれぞれの前記バスバを電気的に接続させる接続部材と、を備え、前記接続部材を用いて電気的に接続される２つの前記バスバは、接合対象となる２つの前記電気配線ブロックを組み付けることによって互いに隣り合い、かつ、前記接続部材によって接触状態で挟み込まれる電気接続部を各々有し、前記接続部材は、それぞれの前記電気接続部が一方の壁面同士を互いに重ね合わせて収容される収容空間と、それぞれの前記電気接続部を前記収容空間に一括挿入可能な差し込み口と、互いに対向配置させ、前記収容空間に収容されたそれぞれの前記電気接続部を他方の壁面に押圧力を作用させながら挟み込む２つの押圧壁体と、前記差し込み口とは逆側でそれぞれの前記押圧壁体を連結させる連結壁体と、を有し、前記接続部材を用いて電気的に接続される２つの前記バスバの内の少なくとも一方には、それぞれの前記電気接続部を前記差し込み口からの一括挿入が可能な位置関係に位置決めする位置決め構造を設け、前記位置決め構造は、接合対象となる２つの前記電気配線ブロックが組み付けられた際にそれぞれの前記電気接続部を前記位置関係に位置決めさせるものとして構成することを特徴としている。
【０００７】
ここで、前記位置決め構造は、自身が設けられている一方の前記バスバの前記電気接続部における前記一方の壁面と、その一方の壁面に間隔を空けて対向配置され、この一方の壁面との間に他方の前記バスバの前記電気接続部を挿入させる位置決め部と、で構成することが望ましい。
【０００８】
また、前記位置決め部は、可撓性を有し、かつ、他方の前記バスバの前記電気接続部における前記他方の壁面に押圧力を作用させる押圧部として形成することが望ましい。
【０００９】
また、前記位置決め部は、可撓性を有し、かつ、他方の前記バスバの前記電気接続部における前記他方の壁面に押圧力を作用させる片持ちの押圧部として形成し、前記位置決め構造は、前記位置決め部の固定端側と自由端側とを結ぶ仮想直線が、接合対象となる２つの前記電気配線ブロックの組付け方向に対する直交方向を向き、かつ、前記組付け方向側の開口が、他方の前記バスバにおける前記電気接続部の挿入口になるものとして形成することが望ましい。
【００１０】
また、前記位置決め部は、可撓性を有し、かつ、他方の前記バスバの前記電気接続部における前記他方の壁面に押圧力を作用させる片持ちの押圧部として形成し、前記位置決め構造は、前記位置決め部の固定端側と自由端側とを結ぶ仮想直線が、接合対象となる２つの前記電気配線ブロックの組付け方向を向き、かつ、前記組付け方向における自由端側の開口が、他方の前記バスバにおける前記電気接続部の挿入口になるものとして形成することが望ましい。
【００１１】
また、上記目的を達成する為、本発明に係る電気接続箱は、電子部品と、導電性のバスバと、前記電子部品と前記バスバを内方で電気的に接続させる複数の電気配線ブロックと、相互間での接合対象となる２つの前記電気配線ブロックに収容されたそれぞれの前記バスバを電気的に接続させる接続部材と、複数の前記電気配線ブロックを収容する筐体と、を備え、前記接続部材を用いて電気的に接続される２つの前記バスバは、接合対象となる２つの前記電気配線ブロックを組み付けることによって互いに隣り合い、かつ、前記接続部材によって接触状態で挟み込まれる電気接続部を各々有し、前記接続部材は、それぞれの前記電気接続部が一方の壁面同士を互いに重ね合わせて収容される収容空間と、それぞれの前記電気接続部を前記収容空間に一括挿入可能な差し込み口と、互いに対向配置させ、前記収容空間に収容されたそれぞれの前記電気接続部を他方の壁面に押圧力を作用させながら挟み込む２つの押圧壁体と、前記差し込み口とは逆側でそれぞれの前記押圧壁体を連結させる連結壁体と、を有し、前記接続部材を用いて電気的に接続される２つの前記バスバの内の少なくとも一方には、それぞれの前記電気接続部を前記差し込み口からの一括挿入が可能な位置関係に位置決めする位置決め構造を設け、前記位置決め構造は、接合対象となる２つの前記電気配線ブロックが組み付けられた際にそれぞれの前記電気接続部を前記位置関係に位置決めさせるものとして構成することを特徴としている。
【００１２】
また、上記目的を達成する為、本発明に係るワイヤハーネスは、電子部品と、導電性のバスバと、電線と、前記電子部品と前記バスバと前記電線を内方で電気的に接続させる複数の電気配線ブロックと、相互間での接合対象となる２つの前記電気配線ブロックに収容されたそれぞれの前記バスバを電気的に接続させる接続部材と、複数の前記電気配線ブロックを収容し且つ前記電線を外方に引き出す筐体と、を備え、前記接続部材を用いて電気的に接続される２つの前記バスバは、接合対象となる２つの前記電気配線ブロックを組み付けることによって互いに隣り合い、かつ、前記接続部材によって接触状態で挟み込まれる電気接続部を各々有し、前記接続部材は、それぞれの前記電気接続部が一方の壁面同士を互いに重ね合わせて収容される収容空間と、それぞれの前記電気接続部を前記収容空間に一括挿入可能な差し込み口と、互いに対向配置させ、前記収容空間に収容されたそれぞれの前記電気接続部を他方の壁面に押圧力を作用させながら挟み込む２つの押圧壁体と、前記差し込み口とは逆側でそれぞれの前記押圧壁体を連結させる連結壁体と、を有し、前記接続部材を用いて電気的に接続される２つの前記バスバの内の少なくとも一方には、それぞれの前記電気接続部を前記差し込み口からの一括挿入が可能な位置関係に位置決めする位置決め構造を設け、前記位置決め構造は、接合対象となる２つの前記電気配線ブロックが組み付けられた際にそれぞれの前記電気接続部を前記位置関係に位置決めさせるものとして構成することを特徴としている。
【発明の効果】
【００１３】
本発明に係る電気配線ブロック接合体は、上記の如き位置決め構造を設けることによって、接合対象となる２つの電気配線ブロックが組み付けられた際に、それぞれの電気接続部を差し込み口からの一括挿入が可能な位置関係に位置決めすることができる。つまり、この電気配線ブロック接合体においては、それぞれの電気接続部に対しての接続部材の組付け作業を行う前に、差し込み口からの一括挿入が可能な位置関係にそれぞれの電気接続部が位置決めされている。よって、この電気配線ブロック接合体は、それぞれの電気接続部に接続部材を組み付ける際に、差し込み口からの一括挿入が可能な位置関係となるように作業者がそれぞれの電気接続部の位置を直す必要がない。従って、この電気配線ブロック接合体は、それぞれの電気接続部に接続部材を組み付ける際の組付け作業性を向上させることができる。更に、本発明に係る電気接続箱及びワイヤハーネスは、その電気配線ブロック接合体を備えているので、この電気配線ブロック接合体が奏する効果を同様に得ることができる。
【図面の簡単な説明】
【００１４】
【図１】図１は、実施形態の電気配線ブロック接合体、電気接続箱及びワイヤハーネスを示す斜視図である。
【図２】図２は、実施形態の電気配線ブロック接合体を示す上面図である。
【図３】図３は、実施形態の電気配線ブロック接合体の分解斜視図である。
【図４】図４は、実施形態の電気配線ブロック接合体を別角度から見た分解斜視図である。
【図５】図５は、第１電気配線ブロックの分解斜視図である。
【図６】図６は、第２電気配線ブロックの分解斜視図である。
【図７】図７は、組付け前の２つのバスバと接続部材を抜き出して示す分解斜視図である。
【図８】図８は、組付け前の対向配置状態の２つのバスバと接続部材を抜き出して示す分解斜視図である。
【図９】図９は、組付け後の２つのバスバと接続部材を抜き出して示す斜視図である。
【図１０】図１０は、組付け後の２つのバスバの電気接続部と接続部材を抜き出して示す平面図である。
【図１１】図１１は、２つのバスバと接続部材の収容室について説明する斜視図である。
【図１２】図１２は、変形例の電気配線ブロック接合体を示す斜視図である。
【図１３】図１３は、変形例の電気配線ブロック接合体を示す上面図である。
【図１４】図１４は、変形例の電気配線ブロック接合体の分解斜視図である。
【図１５】図１５は、変形例の電気配線ブロック接合体を別角度から見た分解斜視図である。
【図１６】図１６は、第１電気配線ブロック側の分解斜視図である。
【図１７】図１７は、第２電気配線ブロック側の分解斜視図である。
【図１８】図１８は、組付け前の２つのバスバと接続部材を抜き出して示す分解斜視図である。
【図１９】図１９は、組付け前の対向配置状態の２つのバスバと接続部材を抜き出して示す分解斜視図である。
【図２０】図２０は、組付け後の２つのバスバと接続部材を抜き出して示す斜視図である。
【図２１】図２１は、組付け後の２つのバスバと接続部材を別角度から見た斜視図である。
【図２２】図２２は、組付け前の２つのバスバと接続部材を抜き出して示す変形形態の分解斜視図である。
【図２３】図２３は、組付け前の２つのバスバと接続部材を別角度から見た変形形態の分解斜視図である。
【発明を実施するための形態】
【００１５】
以下に、本発明に係る電気配線ブロック接合体、電気接続箱及びワイヤハーネスの実施形態を図面に基づいて詳細に説明する。尚、この実施形態によりこの発明が限定されるものではない。
【００１６】
［実施形態］
本発明に係る電気配線ブロック接合体、電気接続箱及びワイヤハーネスの実施形態の１つを図１から図１１に基づいて説明する。
【００１７】
図１から図４の符号１は、本実施形態の電気配線ブロック接合体を示す。また、図１の符号ＪＢと符号ＷＨは、各々、その電気配線ブロック接合体１を備えた本実施形態の電気接続箱と、この電気接続箱ＪＢを備えた本実施形態のワイヤハーネスと、を示す。
【００１８】
電気配線ブロック接合体１とは、電子部品ＥＰを収容する複数の電気配線ブロック（後述する第１電気配線ブロック１０と第２電気配線ブロック２０）が接合されたものである（図１から図４）。また、電気接続箱ＪＢとは、筐体ＪＢａに複数の電気配線ブロックが電子部品ＥＰと共に収容されたものである（図１）。その筐体ＪＢａには、少なくとも１つの電気配線ブロック接合体１が収容される。よって、この電気接続箱ＪＢは、電気配線ブロック接合体１とは別の電気配線ブロック接合体や電気配線ブロックが筐体ＪＢａに収容される場合もある。電気配線ブロック接合体１は、その筐体ＪＢａに周知のロック機構（図示略）等を介して保持される。ワイヤハーネスＷＨとは、その電気接続箱ＪＢの電子部品ＥＰに対して電気的に接続された電線（電力供給線や信号線等）Ｗｅを筐体ＪＢａの内方から外方に引き出したものである（図１）。尚、図中の筐体ＪＢａは、フレームの外壁のみを示した概念図であり、このフレームの２つの開口を各々のカバーで塞いでいる。
【００１９】
電気接続箱ＪＢは、電線Ｗｅと共にワイヤハーネスＷＨとして、例えば、車両（図示略）のエンジンコンパートメント等に設置される。この電気接続箱ＪＢにおいては、車両に搭載された接続対象物（図示略）が電子部品ＥＰに対して電線Ｗｅを介して電気的に接続されている。例えば、この電気接続箱ＪＢにおいては、電子部品ＥＰに対して少なくとも２本の電線Ｗｅを電気的に接続し、この電子部品ＥＰを介して少なくとも２つの接続対象物の間を電気的に繋ぐ。電子部品ＥＰとは、例えば、リレー、ヒューズ等の回路保護部品、コネクタ、端子金具などのことを指している。本実施形態では、回路基板、電子制御ユニット（いわゆるＥＣＵ）等の電子機器についても、筐体ＪＢａに収容される電子部品ＥＰの一形態として考える。また、接続対象物とは、二次電池などの電源、電気機器（アクチュエータ等）などの負荷、センサなどのことを指している。
【００２０】
以下に、電気配線ブロック接合体１について具体的に説明する。
【００２１】
電気配線ブロック接合体１は、先に示したように、複数の電気配線ブロックが接合されたものである。電気配線ブロックとは、電子部品ＥＰの他に導電性のバスバも収容し、その電子部品ＥＰとバスバを内方で電気的に接続させるものである。この電気配線ブロック接合体１においては、相互間での接合対象となる２つの電気配線ブロックを接合させ、それぞれの電気配線ブロックに収容されたバスバ同士を結合させることによって、それぞれのバスバを電気的に接続させる。この電気配線ブロック接合体１は、後で詳述するが、それぞれのバスバの電気接続部を電気的に接続させる接続部材を備えている。
【００２２】
ここでは、２つの電気配線ブロック（第１電気配線ブロック１０、第２電気配線ブロック２０）を備えた電気配線ブロック接合体１について例示する（図１から図４）。第１電気配線ブロック１０（図１から図５）と第２電気配線ブロック２０（図１から図４及び図６）は、各々、合成樹脂等の絶縁性材料で成形する。
【００２３】
第１電気配線ブロック１０は、電子部品ＥＰとしてリレーＥＰ１を収容すると共に、バスバ３０を収容する（図６）。この第１電気配線ブロック１０には、リレーＥＰ１を収容及び保持する第１収容室１１と、バスバ３０を収容及び保持する第２収容室１２と、が形成されている。この第１電気配線ブロック１０においては、６つのリレーＥＰ１を収容し、それぞれのリレーＥＰ１を１つのバスバ３０を介して電気的に接続させる。よって、この例示では、第１収容室１１が格子状に６つ並べて配置されており、それぞれの第１収容室１１に開口部１１ａを介してリレーＥＰ１が１つずつ収容される。また、それぞれの第１収容室１１には、第２収容室１２に収容したバスバ３０の端子接続部３１が各々挿入されている。従って、リレーＥＰ１は、第１収容室１１に収容した際に、バスバ３０に対して端子接続部３１を介して物理的且つ電気的に接続される。
【００２４】
ここで、バスバ３０は、金属等の導電性材料で成形する。この例示のバスバ３０は、銅板等の金属板を母材にしてプレス成形された板状のものである（図５）。このバスバ３０は、リレーＥＰ１毎の６つの端子接続部３１を有している。この例示の端子接続部３１は、所謂雄タブ型に形成されており、リレーＥＰ１の一方の雌型の端子接続部（図示略）に挿入され且つ嵌合される。このバスバ３０は、同一平面上で略等間隔に並べられた３つの端子接続部３１の組み合わせを２組有しており、それぞれの組み合わせが対向配置されている。このバスバ３０は、一方の組み合わせの３つの端子接続部３１を同一平面上で連結させる矩形の第１連結部３２と、他方の組み合わせの３つの端子接続部３１を同一平面上で連結させる矩形の第２連結部３３と、を有する。このバスバ３０においては、それぞれの端子接続部３１を第１連結部３２と第２連結部３３から同一平面上で同一方向に向けて突出させ且つ延在させており、その延在方向がリレーＥＰ１の端子接続部との挿抜方向になる。更に、このバスバ３０は、第１連結部３２と第２連結部３３を端子接続部３１側とは逆側で連結させる矩形の第３連結部３４を有する。このバスバ３０においては、６つの端子接続部３１と第１連結部３２と第２連結部３３と第３連結部３４とで主体部分が形成されている。
【００２５】
この第１電気配線ブロック１０においては、リレーＥＰ１の他方の雌型の端子接続部（図示略）に電線Ｗｅの端部が電気的に接続される。その電線Ｗｅは、端部に取り付けた例えば雄タブ型の端子金具を介してリレーＥＰ１に物理的且つ電気的に接続されている。この電線Ｗｅは、リレーＥＰ１毎に設けられている。
【００２６】
第２電気配線ブロック２０は、電子部品ＥＰとして回路保護部品ＥＰ２を収容すると共に、バスバ４０を収容する（図６）。この第２電気配線ブロック２０には、回路保護部品ＥＰ２を収容及び保持する第１収容室２１と、バスバ４０を収容及び保持する第２収容室２２と、が形成されている。この第２電気配線ブロック２０においては、１０個の回路保護部品ＥＰ２を収容し、それぞれの回路保護部品ＥＰ２を１つのバスバ４０を介して電気的に接続させる。よって、この例示では、第１収容室２１が格子状に１０個並べて配置されており、それぞれの第１収容室２１に開口部２１ａを介して回路保護部品ＥＰ２が１つずつ収容される。また、それぞれの第１収容室２１には、第２収容室２２に収容したバスバ４０の端子接続部４１が各々挿入されている。従って、回路保護部品ＥＰ２は、第１収容室２１に収容した際に、バスバ４０に対して端子接続部４１を介して物理的且つ電気的に接続される。
【００２７】
ここで、バスバ４０は、金属等の導電性材料で成形する。この例示のバスバ４０は、第１電気配線ブロック１０のバスバ３０と同じように、銅板等の金属板を母材にしてプレス成形された板状のものである（図６）。このバスバ４０は、回路保護部品ＥＰ２毎の１０個の端子接続部４１を有している。この例示の端子接続部４１は、所謂音叉端子型に形成されており、回路保護部品ＥＰ２の一方の雄タブ型の端子接続部ＥＰ２ａ（図６）が挿入されることで、この回路保護部品ＥＰ２の端子接続部ＥＰ２ａを挟み込む。このバスバ４０は、同一平面上で略等間隔に並べられた５つの端子接続部４１の組み合わせを２組有しており、それぞれの組み合わせが対向配置されている。このバスバ４０は、一方の組み合わせの５つの端子接続部４１を同一平面上で連結させる矩形の第１連結部４２と、他方の組み合わせの５つの端子接続部４１を同一平面上で連結させる矩形の第２連結部４３と、を有する。このバスバ４０においては、それぞれの端子接続部４１を第１連結部４２と第２連結部４３から同一平面上で同一方向に向けて突出させ且つ延在させており、その延在方向が回路保護部品ＥＰ２の端子接続部ＥＰ２ａとの挿抜方向になる。更に、このバスバ４０は、第１連結部４２と第２連結部４３を端子接続部４１側とは逆側で連結させる矩形の第３連結部４４を有する。このバスバ４０においては、１０個の端子接続部４１と第１連結部４２と第２連結部４３と第３連結部４４とで主体部分が形成されている。
【００２８】
この第２電気配線ブロック２０においては、回路保護部品ＥＰ２の他方の雄タブ型の端子接続部ＥＰ２ｂ（図６）に電線Ｗｅの端部が電気的に接続される。その電線Ｗｅは、端部に取り付けた例えば音叉端子型の端子金具を介して回路保護部品ＥＰ２に物理的且つ電気的に接続されている。この電線Ｗｅは、回路保護部品ＥＰ２毎に設けられている。
【００２９】
ここで示した第１電気配線ブロック１０と第２電気配線ブロック２０は、第１収容室１１の開口部１１ａ（リレーＥＰ１の挿入口）と第１収容室２１の開口部２１ａ（回路保護部品ＥＰ２の挿入口）とが同じ向きに口を開けるように接合する。先に示したように、この電気配線ブロック接合体１においては、第１電気配線ブロック１０と第２電気配線ブロック２０を接合させ、それぞれのバスバ３０，４０同士を結合させることによって、それぞれのバスバ３０，４０を電気的に接続させる。ここで、後述する接続部材５０を用いて電気的に接続される２つのバスバ（この例示のそれぞれのバスバ３０，４０）は、接合対象となる２つの電気配線ブロック（この例示の第１電気配線ブロック１０と第２電気配線ブロック２０）を組み付けることによって互いに隣り合い、かつ、接続部材５０によって接触状態で挟み込まれる電気接続部３５，４５を各々有している（図２及び図７から図１０）。ここでは、そのそれぞれの電気接続部３５，４５を結合させることによって、それぞれのバスバ３０，４０を電気的に接続させる。この例示では、それぞれの電気接続部３５，４５を各々矩形の平板板上に形成している。
【００３０】
バスバ３０においては、主体部分（６つの端子接続部３１と第１連結部３２と第２連結部３３と第３連結部３４）から突出させた状態で電気接続部３５を設ける。このバスバ３０においては、第１連結部３２の端部（一辺）から電気接続部３５を突出させる。ここでは、第１連結部３２において、３つの端子接続部３１の配列方向における一方の端部に電気接続部３５を設けている。この例示の電気接続部３５は、その第１連結部３２と同一平面上で矩形の板状に形成されている（図５及び図７）。
【００３１】
第１電気配線ブロック１０においては、そのバスバ３０の主体部分を第２収容室１２に収容させ、かつ、このバスバ３０の電気接続部３５を外方に突出させる（図３）。この第１電気配線ブロック１０は、その突出状態の電気接続部３５の一方の壁面３５ａに間隔を空けて対向配置させる第１壁体１３ａと、その突出状態の電気接続部３５の他方の壁面３５ｂに間隔を空けて対向配置させる第２壁体１３ｂと、を有する。第１壁体１３ａは、対向配置方向で電気接続部３５の一方の壁面３５ａの全体を覆うことが可能なものとして形成する。また、第２壁体１３ｂは、対向配置方向で電気接続部３５の他方の壁面３５ｂの全体を覆うことが可能なものとして形成する。つまり、第１壁体１３ａと第２壁体１３ｂは、収容室（第１収容室１１、第２収容室１２）側から突出させ、その間に電気接続部３５が収容されるように形成する。この例示の第１壁体１３ａと第２壁体１３ｂは、各々、矩形の平板状に形成している。
【００３２】
また、バスバ４０においては、主体部分（１０個の端子接続部４１と第１連結部４２と第２連結部４３と第３連結部４４）から突出させた状態で電気接続部４５を設ける。このバスバ４０においては、第１連結部４２の端部（一辺）から電気接続部４５を突出させる。ここでは、第１連結部４２において、５つの端子接続部４１の配列方向における一方の端部に電気接続部４５を設けている。この例示の電気接続部４５は、その第１連結部４２と同一平面上で矩形の板状に形成されている（図６及び図７）。
【００３３】
第２電気配線ブロック２０においては、そのバスバ４０の主体部分を第２収容室２２に収容させ、かつ、このバスバ４０の電気接続部４５を外方に突出させる（図４）。この第２電気配線ブロック２０は、その突出状態の電気接続部４５の一方の壁面４５ａに間隔を空けて対向配置させる第１壁体２３ａと、その突出状態の電気接続部４５の他方の壁面４５ｂに間隔を空けて対向配置させる第２壁体２３ｂと、を有する。第１壁体２３ａは、対向配置方向で電気接続部４５の一方の壁面４５ａの全体を覆うことが可能なものとして形成する。また、第２壁体２３ｂは、対向配置方向で電気接続部４５の他方の壁面４５ｂの全体を覆うことが可能なものとして形成する。つまり、第１壁体２３ａと第２壁体２３ｂは、収容室（第１収容室２１、第２収容室２２）側から突出させ、その間に電気接続部４５が収容されるように形成する。この例示の第１壁体２３ａと第２壁体２３ｂは、各々、矩形の平板状に形成している。
【００３４】
この例示の電気配線ブロック接合体１においては、第１電気配線ブロック１０と第２電気配線ブロック２０とが組み付けられた際に、第１電気配線ブロック１０における第１壁体１３ａと第２壁体１３ｂとの間に第２電気配線ブロック２０における第１壁体２３ａと第２壁体２３ｂとが収容される。ここでは、第１壁体１３ａと電気接続部３５との間に第２壁体２３ｂが挿入され、第２壁体１３ｂと電気接続部３５との間に第１壁体２３ａが挿入される。この電気配線ブロック接合体１においては、第１電気配線ブロック１０と第２電気配線ブロック２０とが組み付けられた際に、その第１壁体１３ａと第２壁体１３ｂと第１電気配線ブロック１０の収容室（第１収容室１１、第２収容室１２）側の壁面と第１壁体２３ａと第２壁体２３ｂと第２電気配線ブロック２０の収容室（第１収容室２１、第２収容室２２）側の壁面とによって、両端を開口させた角筒状の筒状部が形成される（図１１）。この電気配線ブロック接合体１では、その筒状部の内方の空間がそれぞれの電気接続部３５，４５と下記の接続部材５０の収容室１ａとなる（図１及び１１）。また、この電気配線ブロック接合体１では、その筒状部における一方の開口が接続部材５０の収容室１ａへの挿入口となる。
【００３５】
この電気配線ブロック接合体１は、それぞれの電気接続部３５，４５を電気的に接続させる接続部材５０を備えている（図１から図４及び図７から図１０）。その接続部材５０は、それぞれの電気接続部３５，４５を結合させると共に、その結合状態を保つための部材である。この接続部材５０は、それぞれの電気接続部３５，４５を結合させたまま保持することによって、これらを電気的に接続させる。
【００３６】
接続部材５０は、一方の壁面３５ａ，４５ａ同士を対向配置させているそれぞれの電気接続部３５，４５が差し込み挿入されていくことによって、その一方の壁面３５ａ，４５ａ同士が互いに重ね合わされた状態でそれぞれの電気接続部３５，４５を結合し、かつ、それぞれの電気接続部３５，４５を結合状態のまま保持する。
【００３７】
そこで、この接続部材５０は、それぞれの電気接続部３５，４５が一方の壁面３５ａ，４５ａ同士を互いに重ね合わせて収容される収容空間５１と、それぞれの電気接続部３５，４５を収容空間５１に一括挿入可能な差し込み口５２と、を有している（図３、図４及び図７から図１０）。また、この接続部材５０は、互いに対向配置させ、収容空間５１に収容されたそれぞれの電気接続部３５，４５を他方の壁面３５ｂ，４５ｂに押圧力を作用させながら挟み込む２つの押圧壁体５３を有している（図３、図４及び図７から図１０）。更に、この接続部材５０は、差し込み口５２とは逆側でそれぞれの押圧壁体５３を連結させる連結壁体５４を有している（図３、図４及び図７から図１０）。この接続部材５０においては、その２つの押圧壁体５３と連結壁体５４とで囲まれた空間が収容空間５１になる。また、この接続部材５０においては、２つの押圧壁体５３における連結壁体５４側とは逆側の端部間が差し込み口５２になる。この例示では、それぞれの電気接続部３５，４５の一括挿入を容易ならしめるべく、その２つの押圧壁体５３のそれぞれの端部を収容空間５１とは逆側に折り曲げることによって、２つの押圧壁体５３におけるそれぞれの電気接続部３５，４５の挟持位置（後述する押圧部５３ａ）の間隔よりも差し込み口５２を拡張させている。
【００３８】
この接続部材５０は、収容室１ａに挿入していくことによって、差し込み口５２からそれぞれの電気接続部３５，４５が差し込み挿入されていく。この接続部材５０においては、その収容室１ａへの挿入と差し込み挿入の進行と共に、一方の壁面３５ａ，４５ａ同士が互いに重ね合わされたまま、それぞれの電気接続部３５，４５が差し込み口５２とは逆側の連結壁体５４に向けて収容空間５１の中を移動する。この接続部材５０においては、それぞれの電気接続部３５，４５が所定位置まで収容空間５１の中を移動することによって、それぞれの電気接続部３５，４５の収容空間５１への収容が完了する。２つの押圧壁体５３は、その収容空間５１に収容されたそれぞれの電気接続部３５，４５の他方の壁面３５ｂ，４５ｂに押圧力を作用させながら挟み込む。
【００３９】
例えば、この接続部材５０は、金属等の導電性材料で成形する。この例示の接続部材５０は、銅板等の金属板を母材にしてプレス成形された板状のものである。この例示の接続部材５０は、２つの押圧壁体５３と連結壁体５４とを各々矩形の片体状に形成している。押圧壁体５３は、差し込み口５２側を収容空間５１側にオフセットさせた矩形の押圧部５３ａと、その押圧部５３ａと連結壁体５４との間の矩形の根元部５３ｂと、を有する（図３、図４及び図７から図１０）。押圧部５３ａは、電気接続部３５（４５）の他方の壁面３５ｂ（４５ｂ）に押圧力を作用させる。一方、根元部５３ｂは、その電気接続部３５（４５）の他方の壁面３５ｂ（４５ｂ）との間に隙間を形成する。
【００４０】
この接続部材５０は、連結壁体５４側を支点にしてそれぞれの押圧壁体５３を撓ませることができ、それぞれの押圧壁体５３の対向配置された内壁面の間隔を変えることができる。そして、この接続部材５０においては、その撓みを弾性域内で発生させることによって、それぞれの押圧壁体５３の間にバネ力を発生させることができる。この接続部材５０は、収容空間５１にそれぞれの電気接続部３５，４５が収容される前に、それぞれの押圧部５３ａの対向配置された内壁面の間隔がそれぞれの電気接続部３５，４５の板厚の合計値よりも狭くなるように形成する。これにより、この接続部材５０においては、差し込み口５２からそれぞれの電気接続部３５，４５が収容空間５１に差し込み挿入されていった際に、それぞれの電気接続部３５，４５の他方の壁面３５ｂ，４５ｂによって、それぞれの押圧部５３ａが内壁面側から押し広げられ、それぞれの押圧壁体５３に弾性域内での撓みが発生する。これにより、それぞれの押圧部５３ａは、それぞれの電気接続部３５，４５の他方の壁面３５ｂ，４５ｂに押圧力を作用させることができ、それぞれの電気接続部３５，４５を重ね合わせた状態のまま挟持することができる。よって、この接続部材５０は、それぞれのバスバ３０，４０を結合させ、互いの電気的な接続状態を保持することができる。
【００４１】
このように、この接続部材５０は、それぞれの電気接続部３５，４５が差し込み口５２から差し込み挿入されていく形状のものである。よって、それぞれの電気接続部３５，４５は、先に示した様々な公差によって、必ずしも差し込み口５２からの一括挿入が可能な位置関係に配置されるとは限らない。例えば、この接続部材５０においては、それぞれの電気接続部３５，４５を差し込み口５２から一括挿入させる際に、それぞれの電気接続部３５，４５の間隔が離れすぎていると、それぞれの電気接続部３５，４５を差し込み口５２で拾えず、その差し込み口５２からそれぞれの電気接続部３５，４５を一括挿入させることが難しくなってしまう可能性がある。
【００４２】
そこで、この電気配線ブロック接合体１においては、それぞれの電気接続部３５，４５を差し込み口５２からの一括挿入が可能な位置関係に予め位置決めしておき、その位置関係にあるそれぞれの電気接続部３５，４５に対して接続部材５０を組み付ける。具体的に、接続部材５０を用いて電気的に接続される２つのバスバ（この例示のそれぞれのバスバ３０，４０）の内の少なくとも一方には、それぞれの電気接続部３５，４５を差し込み口５２からの一括挿入が可能な位置関係に位置決めする位置決め構造６０を設ける（図１から図４及び図７から図１０）。その位置決め構造６０は、接合対象となる２つの電気配線ブロック（この例示の第１電気配線ブロック１０と第２電気配線ブロック２０）が組み付けられた際にそれぞれの電気接続部３５，４５を前記位置関係に位置決めさせるものとして構成する。
【００４３】
この電気配線ブロック接合体１は、そのような位置決め構造６０を設けることによって、第１電気配線ブロック１０と第２電気配線ブロック２０とが組み付けられた際に、それぞれの電気接続部３５，４５を差し込み口５２からの一括挿入が可能な位置関係に位置決めすることができる。つまり、この電気配線ブロック接合体１においては、それぞれの電気接続部３５，４５に対しての接続部材５０の組付け作業を行う前に、差し込み口５２からの一括挿入が可能な位置関係にそれぞれの電気接続部３５，４５が位置決めされている。よって、この電気配線ブロック接合体１は、それぞれの電気接続部３５，４５に接続部材５０を組み付ける際に、差し込み口５２からの一括挿入が可能な位置関係となるように作業者がそれぞれの電気接続部３５，４５の位置を直す必要がない。従って、本実施形態の電気配線ブロック接合体１は、それぞれの電気接続部３５，４５に接続部材５０を組み付ける際の組付け作業性を向上させることができる。これに伴い、この電気配線ブロック接合体１は、それぞれの電気接続部３５，４５を他方の壁面３５ｂ，４５ｂ側から接続部材５０で挟み込み、一方の壁面３５ａ，４５ａ同士の接触状態を保つことができるので、バスバ３０，４０間の通電品質を向上させることができる。そして、本実施形態の電気接続箱ＪＢ及びワイヤハーネスＷＨは、その電気配線ブロック接合体１を備えているので、この電気配線ブロック接合体１が奏する効果を同様に得ることができる。
【００４４】
例えば、その位置決め構造６０は、自身が設けられている一方のバスバ３０（４０）の電気接続部３５（４５）における一方の壁面３５ａ（４５ａ）と、その一方の壁面３５ａ（４５ａ）に間隔を空けて対向配置され、この一方の壁面３５ａ（４５ａ）との間に他方のバスバ４０（３０）の電気接続部４５（３５）を挿入させる位置決め部６２と、で構成する。この例示では、一方の壁面３５ａ（４５ａ）における一部分６１と、この一部分６１との間に他方のバスバ４０（３０）の電気接続部４５（３５）を挿入させる位置決め部６２と、で位置決め構造６０を構成している（図３、図５及び図７）。
【００４５】
この例示の位置決め部６２は、可撓性を有し、かつ、他方のバスバ４０（３０）の電気接続部４５（３５）における他方の壁面４５ｂ（３５ｂ）に押圧力を作用させる押圧部として形成する。この押圧部としての位置決め部６２は、接続部材５０の押圧壁体５３が他方の壁面３５ｂ，４５ｂに作用させる押圧力よりも低い押圧力を作用させるものとして形成することが望ましい。これにより、この位置決め構造６０においては、接続部材５０の押圧壁体５３よりも位置決め部６２の方が撓み易くなっているので、一方の壁面３５ａ（４５ａ）と位置決め部６２との間に電気接続部４５（３５）を挿入する際の挿入作業が容易になる。ここでは、可撓性を有し、かつ、他方のバスバ４０（３０）の電気接続部４５（３５）における他方の壁面４５ｂ（３５ｂ）に押圧力を作用させる片持ちの押圧部として位置決め部６２を形成している。
【００４６】
ここで、この例示の電気配線ブロック接合体１においては、端子接続部３１，４１の配列方向（バスバ３０，４０におけるそれぞれの電気接続部３５，４５の主体部分からの突出方向）を第１電気配線ブロック１０と第２電気配線ブロック２０の組付け方向としている。この電気配線ブロック接合体１においては、その組付け方向に沿って第１電気配線ブロック１０と第２電気配線ブロック２０とを組み付けていくことによって、第１壁体１３ａと第２壁体１３ｂとの間に第１壁体２３ａと第２壁体２３ｂとが収容されながら、その組付け方向に沿ってそれぞれの電気接続部３５，４５が互いに近づいていく。位置決め構造６０は、その組付け方向に沿ってそれぞれの電気接続部３５，４５が互いに近づいていった際に、一方の壁面３５ａ（４５ａ）と位置決め部６２との間に電気接続部４５（３５）が挿入されるように形成する。そこで、この位置決め構造６０は、片持ちの押圧部としての位置決め部６２の固定端側と自由端側とを結ぶ仮想直線が、第１電気配線ブロック１０と第２電気配線ブロック２０の組付け方向に対する直交方向を向き、かつ、その組付け方向側の開口が、他方のバスバ４０（３０）における電気接続部４５（３５）の差し込み口になるものとして形成する。
【００４７】
この例示では、その位置決め構造６０をバスバ３０の矩形の電気接続部３５に設けている（図５及び図７）。その電気接続部３５においては、接続部材５０への差し込み挿入の起点となる一方の辺部３５ｃと、この一方の辺部３５ｃに対向配置されている他方の辺部３５ｄと、に位置決め構造６０を各々設けている。一方の辺部３５ｃでは、それぞれの隅部に位置決め構造６０を各々設けている。また、他方の辺部３５ｄでは、その略中央部分に位置決め構造６０を１つ設けている。
【００４８】
一方の辺部３５ｃに設けた位置決め構造６０は、一方の壁面３５ａの一方の辺部３５ｃの隅部における一部分６１と、この一部分６１との間にバスバ４０の電気接続部４５を挿入させる片持ちの押圧部としての位置決め部６２と、で構成している。その位置決め部６２は、一方の辺部３５ｃ側を固定端とし、他方の辺部３５ｄ側に向けて延出させた片体状に形成している。よって、この位置決め構造６０は、所謂クリップの如き形態を成すものとして構成されている。
【００４９】
他方の辺部３５ｄに設けた位置決め構造６０は、一方の壁面３５ａの他方の辺部３５ｄの略中央部分における一部分６１と、この一部分６１との間にバスバ４０の電気接続部４５を挿入させる片持ちの押圧部としての位置決め部６２と、で構成している。その位置決め部６２は、他方の辺部３５ｄ側を固定端とし、一方の辺部３５ｃ側に向けて延出させた片体状に形成している。よって、この位置決め構造６０は、所謂クリップの如き形態を成すものとして構成されている。
【００５０】
その３つの位置決め構造６０においては、第１電気配線ブロック１０と第２電気配線ブロック２０の組付け方向におけるバスバ３０の主体部分側とは逆側の開口が電気接続部４５の挿入口（差し込み口）６０ａになる（図５及び図７）。ここでは、一部分６１と位置決め部６２との間隔が電気接続部４５よりも僅かに狭くなるように位置決め構造６０を形成し、接続部材５０の押圧壁体５３が他方の壁面３５ｂ，４５ｂに作用させる押圧力よりも低い押圧力を位置決め部６２が作用させるものとして形成する。
【００５１】
この電気配線ブロック接合体１においては、第１電気配線ブロック１０と第２電気配線ブロック２０とが組み付けられていくことで、位置決め構造６０の挿入口６０ａから電気接続部４５が一方の壁面３５ａにおける一部分６１と位置決め部６２との間に挿入されていく。そして、この電気配線ブロック接合体１においては、第１電気配線ブロック１０と第２電気配線ブロック２０との組み付けを終えた際に、電気接続部４５が３つの位置決め構造６０で挟持されるので、それぞれの電気接続部３５，４５が接続部材５０の差し込み口５２からの一括挿入が可能な位置関係に位置決めされる。ここでは、それぞれの電気接続部３５，４５の一方の壁面３５ａ，４５ａ同士が接触状態にある。よって、この電気配線ブロック接合体１においては、接続部材５０を収容室１ａに収容しながら、先に示した直し等の特別な作業を行わずとも、それぞれの電気接続部３５，４５を差し込み口５２から一括挿入させることができる。従って、この電気配線ブロック接合体１は、それぞれの電気接続部３５，４５に接続部材５０を組み付ける際の組付け作業性を向上させることができる。これに伴い、この電気配線ブロック接合体１は、それぞれの電気接続部３５，４５を他方の壁面３５ｂ，４５ｂ側から接続部材５０で挟み込み、一方の壁面３５ａ，４５ａ同士の接触状態を保つことができるので、バスバ３０，４０間の通電品質を向上させることができる。
【００５２】
更に、この電気配線ブロック接合体１においては、接続部材５０を組み付ける際に、この接続部材５０を一方の辺部３５ｃにおけるそれぞれの隅部の位置決め構造６０の間に入り込ませる。つまり、この電気配線ブロック接合体１においては、その２つの位置決め構造６０が接続部材５０の位置決めの機能をも兼ねることになるので、この点からも、それぞれの電気接続部３５，４５に接続部材５０を組み付ける際の組付け作業性を向上させることができ、バスバ３０，４０間の通電品質を向上させることができる。また、この電気配線ブロック接合体１においては、その２つの位置決め構造６０と接続部材５０との間隔を接続部材５０の組付け作業性を低下させない範囲内で狭めることによって、この２つの位置決め構造６０が組付け後の接続部材５０の位置ずれを抑えるための部位として利用可能になる。よって、この電気配線ブロック接合体１は、この点からも、バスバ３０，４０間の通電品質を向上させることができる。
【００５３】
以上示したように、本実施形態の電気配線ブロック接合体１は、バスバ３０，４０間の通電品質を向上させることができる。そして、本実施形態の電気接続箱ＪＢ及びワイヤハーネスＷＨは、その電気配線ブロック接合体１を備えているので、この電気配線ブロック接合体１が奏する効果を同様に得ることができる。
【００５４】
［変形例］
図１２から図１５の符号２は、本変形例の電気配線ブロック接合体を示す。この電気配線ブロック接合体２は、前述した実施形態の電気配線ブロック接合体１において、第１電気配線ブロック１０を下記の第１電気配線ブロック１１０に置き換え、かつ、第２電気配線ブロック２０を下記の第２電気配線ブロック１２０に置き換え、かつ、バスバ３０，４０を下記のバスバ１３０，１４０に置き換えたものに相当する。よって、以下においては、実施形態の説明で示したものと同等の部品や部位等の説明を適宜省略する。また、本変形例の電気接続箱ＪＢ及びワイヤハーネスＷＨ（図示略）は、実施形態の電気配線ブロック接合体１に替えて、本変形例の電気配線ブロック接合体２が具備されているものに相当する。尚、本変形例の位置決め構造６０は、押圧力を付与するものであってもよく、押圧力を付与せずに位置決め機能のみを持つものであってもよい。
【００５５】
先ず、本変形例のバスバ１３０，１４０について説明する。
【００５６】
本変形例のバスバ１３０，１４０は、実施形態のバスバ３０，４０と同じように、接合対象となる２つの電気配線ブロック（この例示の第１電気配線ブロック１１０と第２電気配線ブロック１２０）を組み付けることによって互いに隣り合い、かつ、接続部材５０によって接触状態で挟み込まれる電気接続部１３５，１４５を各々有している（図１３から図１５）。それぞれのバスバ１３０，１４０においては、実施形態と同じように、一方の壁面１３５ａ，１４５ａを対向配置させ、他方の壁面１３５ｂ，１４５ｂ側から接続部材５０で挟み込むことによって、一方の壁面１３５ａ，１４５ａ同士の接触状態を保たせる。
【００５７】
本変形例のバスバ１３０は、実施形態のバスバ３０において、電気接続部３５を下記の電気接続部１３５に置き換えたものに相当する（図１６）。よって、本変形例のバスバ１３０は、実施形態のバスバ３０と同様の主体部分（６つの端子接続部３１と第１連結部３２と第２連結部３３と第３連結部３４）を有する。ここでは、便宜上、その主体部分を成す各部位の符号を実施形態に対して変えずに示すことにする。
【００５８】
その電気接続部１３５は、実施形態の電気接続部３５と同じように、主体部分における第１連結部３２の端部（３つの端子接続部３１の配列方向における一方の端部）から突出させる。この例示の電気接続部１３５は、その第１連結部３２と同一平面上で矩形の板状に形成されている。
【００５９】
本変形例のバスバ１３０においては、実施形態のバスバ３０と同じように、電気接続部１３５に位置決め構造６０を設けている。但し、本変形例のバスバ１３０では、電気接続部１３５における接続部材５０への差し込み挿入の起点となる一方の辺部１３５ｃのみに位置決め構造６０を設ける。その一方の辺部１３５ｃでは、それぞれの隅部に位置決め構造６０を各々設けている。
【００６０】
この例示では、実施形態のバスバ３０と同じ構成及び配置の位置決め構造６０を用いている。つまり、この一方の辺部１３５ｃに設けた位置決め構造６０は、電気接続部１３５一方の壁面１３５ａの一方の辺部１３５ｃの隅部における一部分６１と、この一部分６１との間にバスバ１４０の電気接続部１４５を挿入させる片持ちの押圧部としての位置決め部６２と、で構成している。よって、その位置決め部６２は、一方の辺部１３５ｃ側を固定端とし、他方の辺部１３５ｄ側に向けて延出させた片体状に形成している。
【００６１】
本変形例のバスバ１４０は、実施形態のバスバ４０において、電気接続部４５を下記の電気接続部１４５に置き換えたものに相当する（図１７）。よって、本変形例のバスバ１４０は、実施形態のバスバ４０と同様の主体部分（１０個の端子接続部４１と第１連結部４２と第２連結部４３と第３連結部４４）を有する。ここでは、便宜上、その主体部分を成す各部位の符号を実施形態に対して変えずに示すことにする。
【００６２】
その電気接続部１４５は、実施形態の電気接続部４５と同じように、主体部分における第１連結部４２の端部（５つの端子接続部４１の配列方向における一方の端部）から突出させる。この例示の電気接続部１４５は、その第１連結部４２と同一平面上で矩形の板状に形成されている。
【００６３】
本変形例のバスバ１４０においては、実施形態のバスバ４０とは異なり、電気接続部１４５に位置決め構造６０を設けている。本変形例のバスバ１４０では、電気接続部１４５における他方の辺部１４５ｄ（接続部材５０への差し込み挿入の起点となる一方の辺部１４５ｃとは逆側の辺部）のみに位置決め構造６０を設ける。その他方の辺部１４５ｄでは、それぞれの隅部に位置決め構造６０を各々設けている。
【００６４】
この例示では、一方の壁面１４５ａの他方の辺部１４５ｄの隅部における一部分６１と、この一部分６１との間にバスバ１３０の電気接続部１３５を挿入させる片持ちの押圧部としての位置決め部６２と、で他方の辺部１４５ｄの位置決め構造６０を構成している。その位置決め部６２は、他方の辺部１４５ｄ側を固定端とし、一方の辺部１４５ｃ側に向けて延出させた片体状に形成している。つまり、この他方の辺部１４５ｄに設けた位置決め構造６０については、実施形態のバスバ３０と同じ構成のものを用いている。
【００６５】
ここで、本変形例の電気配線ブロック接合体２においては、それぞれの電気接続部１３５，１４５と接続部材５０との間の組付け方向（実施形態の電気配線ブロック接合体１と同じ方向）を、第１電気配線ブロック１１０と第２電気配線ブロック１２０との組み付け方向にする（図１４及び図１５）。よって、第１電気配線ブロック１１０と第２電気配線ブロック１２０は、実施形態の第１電気配線ブロック１０と第２電気配線ブロック２０に対して以下の点を変更している。
【００６６】
本変形例の第１電気配線ブロック１１０は、実施形態の第１電気配線ブロック１０において、収容室（第１収容室１１、第２収容室１２）以外を以下の如く変更している。よって、ここでは、便宜上、その収容室を成す各部位の符号を実施形態に対して変えずに示すことにする。
【００６７】
この第１電気配線ブロック１１０においては、バスバ１３０の主体部分を第２収容室１２に収容させ、かつ、このバスバ１３０の電気接続部１３５を外方に突出させる（図１３から図１５）。この第１電気配線ブロック１１０は、その突出状態の電気接続部１３５の一方の壁面１３５ａに間隔を空けて対向配置させる第１壁体１１３ａと、その突出状態の電気接続部１３５の他方の壁面１３５ｂに間隔を空けて対向配置させる第２壁体１１３ｂと、を有する。第１壁体１１３ａは、実施形態の第１電気配線ブロック１０の第１壁体１３ａと同等のものである。第２壁体１１３ｂは、実施形態の第１電気配線ブロック１０の第２壁体１３ｂと同等のものである。この第１電気配線ブロック１１０は、その第１壁体１１３ａと第２壁体１１３ｂにおける突出方向側における端部同士を繋ぐ第３壁体１１３ｃを有する。その第３壁体１１３ｃには、第１電気配線ブロック１１０と第２電気配線ブロック１２０との組付けに伴い電気接続部１４５が挿入される第１切欠き部１１３ｃ１と、その組付けに伴い下記の第２壁体１２３ｂが挿入される第２切欠き部１１３ｃ２と、その組付けに伴い下記の第１壁体１２３ａが挿入される第３切欠き部１１３ｃ３と、が形成されている（図１４）。
【００６８】
一方、本変形例の第２電気配線ブロック１２０は、実施形態の第２電気配線ブロック２０において、収容室（第１収容室２１、第２収容室２２）以外を以下の如く変更している。よって、ここでは、便宜上、その収容室を成す各部位の符号を実施形態に対して変えずに示すことにする。
【００６９】
この第２電気配線ブロック１２０においては、バスバ１４０の主体部分を第２収容室２２に収容させ、かつ、このバスバ１４０の電気接続部１４５を外方に突出させる（図１３から図１５）。この第２電気配線ブロック１２０は、その突出状態の電気接続部１４５の一方の壁面１４５ａに間隔を空けて対向配置させる第１壁体１２３ａと、その突出状態の電気接続部１４５の他方の壁面１４５ｂに間隔を空けて対向配置させる第２壁体１２３ｂと、を有する。第１壁体１２３ａは、実施形態の第２電気配線ブロック２０の第１壁体２３ａと同等のものである。第２壁体１２３ｂは、実施形態の第２電気配線ブロック２０の第２壁体２３ｂと同等のものである。この第２電気配線ブロック１２０は、その第１壁体１２３ａと第２壁体１２３ｂにおける突出方向側における端部同士を繋ぐ第３壁体１２３ｃを有する。
【００７０】
本変形例の電気配線ブロック接合体２においては、第１壁体１１３ａと第２壁体１１３ｂと第３壁体１１３ｃと第１壁体１２３ａと第２壁体１２３ｂと第３壁体１２３ｃとによって、両端を開口させた角筒状の筒状部が形成される（図１２）。この電気配線ブロック接合体２では、その筒状部の内方の空間がそれぞれの電気接続部１３５，１４５と接続部材５０の収容室２ａとなる。また、この電気配線ブロック接合体２では、その筒状部における一方の開口が接続部材５０の収容室２ａへの挿入口となる。
【００７１】
先に示したように、本変形例の電気配線ブロック接合体２においては、それぞれの電気接続部１３５，１４５と接続部材５０との間の組付け方向を、第１電気配線ブロック１１０と第２電気配線ブロック１２０との組み付け方向にしている。そこで、一方のバスバ１３０（１４０）に設けた位置決め構造６０は、片持ちの押圧部としての位置決め部６２の固定端側と自由端側とを結ぶ仮想直線が、第１電気配線ブロック１１０と第２電気配線ブロック１２０の組付け方向を向き、かつ、その組付け方向における自由端側の開口が、他方のバスバ１４０（１３０）における電気接続部１４５（１３５）の差し込み口になるものとして形成する。ここで例示しているそれぞれのバスバ１３０，１４０の位置決め構造６０は、そのような形状のものとして形成されており、第１電気配線ブロック１１０と第２電気配線ブロック１２０の組付け方向に合わせた挿入口６０ａを有している（図１６から図２１）。
【００７２】
この電気配線ブロック接合体２においては、第１電気配線ブロック１１０と第２電気配線ブロック１２０とが組み付けられていくことで、バスバ１３０側の位置決め構造６０の挿入口６０ａから電気接続部１４５が一方の壁面１３５ａにおける一部分６１と位置決め部６２との間に挿入され、かつ、バスバ１４０側の位置決め構造６０の挿入口６０ａから電気接続部１３５が一方の壁面１４５ａにおける一部分６１と位置決め部６２との間に挿入されていく。そして、この電気配線ブロック接合体２においては、第１電気配線ブロック１１０と第２電気配線ブロック１２０との組み付けを終えた際に、バスバ１３０側の位置決め構造６０でバスバ１４０の電気接続部１４５が挟持され、かつ、バスバ１４０側の位置決め構造６０でバスバ１３０の電気接続部１３５が挟持されるので、それぞれの電気接続部１３５，１４５が接続部材５０の差し込み口５２からの一括挿入が可能な位置関係に位置決めされる。ここでは、それぞれの電気接続部１３５，１４５の一方の壁面１３５ａ，１４５ａ同士が接触状態にある。よって、この電気配線ブロック接合体２においては、接続部材５０を収容室１ａに収容しながら、それぞれの電気接続部１３５，１４５を差し込み口５２から一括挿入させることができる。従って、この電気配線ブロック接合体２は、それぞれの電気接続部１３５，１４５に接続部材５０を組み付けるに際して、その組付け作業が容易なものとなる。
【００７３】
ここで、本変形例の電気配線ブロック接合体２においては、実施形態の第１電気配線ブロック１０と第２電気配線ブロック２０とを用いることによって、実施形態の電気配線ブロック接合体１と同じ組付け方向で第１電気配線ブロック１０と第２電気配線ブロック２０とを組み付けることができる。この場合、バスバ１３０の位置決め構造６０においては、その組付け方向におけるバスバ１３０の主体部分側とは逆側の開口が電気接続部１４５の挿入口６０ａになる（図２２）。そして、バスバ１４０の位置決め構造６０においては、その組付け方向におけるバスバ１４０の主体部分側とは逆側の開口が電気接続部１３５の挿入口６０ａになる（図２３）。本変形例の電気配線ブロック接合体２は、このように第１電気配線ブロック１０と第２電気配線ブロック２０の組付け方向を変えたとしても、それぞれの電気接続部１３５，１４５に接続部材５０を組み付けるに際しての組付け作業が容易なものとなっている。
【００７４】
以上示したように、本変形例の電気配線ブロック接合体２においては、位置決め構造６０を設けることによって、それぞれの電気接続部１３５，１４５に対しての接続部材５０の組付け作業を行う前に、差し込み口５２からの一括挿入が可能な位置関係にそれぞれの電気接続部１３５，１４５が位置決めされている。よって、この電気配線ブロック接合体２は、それぞれの電気接続部１３５，１４５に接続部材５０を組み付ける際に、差し込み口５２からの一括挿入が可能な位置関係となるように作業者がそれぞれの電気接続部１３５，１４５の位置を直す必要がない。従って、本変形例の電気配線ブロック接合体２は、それぞれの電気接続部１３５，１４５に接続部材５０を組み付ける際の組付け作業性を向上させることができる。これに伴い、この電気配線ブロック接合体２は、それぞれの電気接続部１３５，１４５を他方の壁面１３５ｂ，１４５ｂ側から接続部材５０で挟み込み、一方の壁面１３５ａ，１４５ａ同士の接触状態を保つことができるので、バスバ１３０，１４０間の通電品質を向上させることができる。そして、本変形例の電気接続箱ＪＢ及びワイヤハーネスＷＨは、その電気配線ブロック接合体２を備えているので、この電気配線ブロック接合体２が奏する効果を同様に得ることができる。
【符号の説明】
【００７５】
１，２  電気配線ブロック接合体
１０，１１０  第１電気配線ブロック
２０，１２０  第２電気配線ブロック
３０，４０，１３０，１４０  バスバ
３５，４５，１３５，１４５  電気接続部
３５ａ，４５ａ，１３５ａ，１４５ａ  一方の壁面
３５ｂ，４５ｂ，１３５ｂ，１４５ｂ  他方の壁面
５０  接続部材
５１  収容空間
５２  差し込み口
５３  押圧壁体
５４  連結壁体
６０  位置決め構造
６０ａ  挿入口
６１  一部分
６２  位置決め部
ＥＰ  電子部品
ＪＢ  電気接続箱
ＪＢａ  筐体
Ｗｅ  電線
ＷＨ  ワイヤハーネス
【図１】
2020068581.tif 000003
【図２】
2020068581.tif 000004
【図３】
2020068581.tif 000005
【図４】
2020068581.tif 000006
【図５】
2020068581.tif 000007
【図６】
2020068581.tif 000008
【図７】
2020068581.tif 000009
【図８】
2020068581.tif 000010
【図９】
2020068581.tif 000011
【図１０】
2020068581.tif 000012
【図１１】
2020068581.tif 000013
【図１２】
2020068581.tif 000014
【図１３】
2020068581.tif 000015
【図１４】
2020068581.tif 000016
【図１５】
2020068581.tif 000017
【図１６】
2020068581.tif 000018
【図１７】
2020068581.tif 000019
【図１８】
2020068581.tif 000020
【図１９】
2020068581.tif 000021
【図２０】
2020068581.tif 000022
【図２１】
2020068581.tif 000023
【図２２】
2020068581.tif 000024
【図２３】
2020068581.tif 000025